(57)【要約】  ［課題］    稲刈りの季節となり、黴菌の繁茂する季節も終わったが、その残骸の処理には気が重くなっている。毎年毎年何か良い対策法はないかと考えて来た。やっと手軽な対応策を思い付いた。  ［解決手段］    食品衛生法上の食品添加物の中の保存料と殺菌料と防黴剤との中の適当なものを単独で或いは複数組み合せて主成分とした適当な濃度の建物（住家やビルや工場など）の屋内外の壁や窓や床などや室内の家具や敷物などに用いる各分類対象別の人体に柔和な建物用・家具用防黴菌料剤。【選択図】    なし。【特許請求の範囲】
【請求項１】
食品衛生法上の食品添加物の中の保存料と殺菌料と防黴剤との中の適当なものを単独で或いは複数組み合せて主成分とした適当な濃度の建物（住家やビルや工場など）の屋内外の壁や窓や床などや室内の家具や敷物などに用いる各分類対象別の人体に柔和な建物用・家具用防黴菌料剤。
【請求項２】
「請求項１」における「防黴菌料剤」を機械式あるいはガス式の噴霧器に詰め込んだ防黴菌料剤スプレー。
【請求項３】
「請求項１」における「防黴菌料剤」を吹き付ける前作業の一である既存の黴菌を洗除するにおいて、その黴菌に吹き付けて置いて暫く経って水を吹き付けて流し落とすことが出来るようにした、界面活性剤と保湿剤（苛性ソーダや尿素など）を主成分とした、付着保湿性黴洗除剤。
【請求項４】
「請求項１」における「防黴菌料剤」や「請求項３」における「付着保湿性黴洗除剤」や「水」を建物に可なり自由自在に吹き付けうるために、自動車に、伸縮可能なジブ（腕）をその先端に吹き付けノズルを設けて設けた、又転倒防止用の収納可能なアウトリガーをその接地先端にキャスター或いはホイールを設けて設けた、そして動力噴霧器を高層用には液槽をジブの高所に設けて液と圧縮空気は別々にパイプやホースで以てその槽に送るようにしても宜しく設けた、そして吹き付け状況をモニターするテレビカメラとディスプレーを設けても宜しい、建物外壁用防黴菌作業車。
【請求項５】
「請求項１」の「防黴菌料剤」との関連において、水道水の殺菌料剤として「次亜塩素酸」を次のような理由から添加した清浄水道水。
殺菌とは、細胞体に非可逆的（元に戻らない）変質を起こさせて殺すことである。その中の化学的なものの代表に、「酸化剤による殺菌」がある（「現代新百科事典・３・４４３頁」）。
酸化剤とは、他の物質に酸素を与え、他の物質から水素や電子を奪う、ものを言う。
従って、次亜塩素酸の酸素が２ＨＣｌＯ＋細胞→ＨＣｌ＋細胞Ｏ２と細胞を酸化して殺すと同時に塩酸が生じることになる。
これに対して、従来用いられていた所謂カルキ（晒粉）はＣａＣｌ２・Ｃａ（ＯＣｌ）２・２Ｈ２Ｏであるが、効くのは、Ｃａ（ＣｌＯ）２（次亜塩素酸カルシウム）が水中で徐々にＣａＣｌ２（塩化カルシウム）に変化して行く過程で発生するＯ２（酸素）の酸化殺菌作用である。
従って、水道水にＣａＣｌ２（塩化カルシウム）が消えることなく全て残存することになり、体内での影響が心配されるべきところであった。従って、煮沸して塩素を抜けと言われていた。恐らく、ＣａＣｌ２→Ｃａ＋＋２Ｃｌ−となっているものがＣａ＋Ｃｌ２となって気化して抜けるのであろう。
つまり、この作業をしないと、Ｃｌ−が毒ガスと同じ作用を人体に及ぼすことになる。
ところが、次亜塩素酸の酸化作用の後に発生するＨＣｌ（塩酸）は胃液中の塩酸の濃度以下で酸味を感じない程度であれば、何ら害は無い。寧ろ、食品添加物中のナトリウムを即ちエリソルビン酸Ｎａ（酸化防止剤）、亜硫酸Ｎａ（漂白剤）、次亜塩素酸Ｎａ（漂白剤）、Ｌグルタミン酸Ｎａ（調味料）、５′イノシン酸Ｎａ（調味料）、乳酸Ｎａ（ＰＨ調整剤）、ポリリン酸Ｎａ（槻水麺用）、炭酸水素Ｎａ（膨張剤）、水酸化Ｎａ（加工工程用）などを−Ｎａ（Ｒ−ＣＯＯＮａ）＋ＨＣｌ→ＮａＣｌ＋−Ｈ（Ｒ−ＣＯＯＨ）のように酸化して塩類を作り、Ｎａの過剰状態を緩和する。
そして、黴菌の存在を上回るＨＣｌＯは徐々に２ＨＣｌとＯ２に変化して行き無害化しよう。
【請求項６】
「請求項５」における「次亜塩素酸」を家庭における主に井戸水の蛇口の流量に応じてそれに注入しうるようにした、飲用水浄水器。
【発明の詳細な説明】
［説明項目を纏めた説明］
毎年夏季になると、水屋などの家具や床や敷物などがカビてその処理に困り果てる。水屋や戸棚の例では、収納物を全部取り出して、熱湯などで以て吹き取らなくてはならない。
一般に、今日の戸棚類は戸扉が密閉式であるので、風通しが悪く、黴を防ぐことは難しい。
そこで、私は、以前から、戸棚類を冷蔵庫化することを考えて来た。しかし、それは大変大掛かりになるので、すっきりした問題解決策とは言い難かった。
本日、カルシューム多含食品を調べていて、「標準食品成分表・永岡書店・１９９５年」で予てよりその廃用を主張して来た「食品添加物」の中の殺菌・防腐・防黴料剤を研究していて、これを家具などの防黴菌料剤の主成分にすると好いのではないかと思い付いた。
食品に加えるくらいであるから、人体的には殆ど害になることはあるまいと考えたからである。
従来の「カビキラー」などのカビ用洗剤などには、主成分として、次亜塩素酸ナトリウムが４％も使われているが、これは、殺菌剤としてよりは漂白剤として使われているものと思われる。これら塩素系晒し剤は脱色作用があるので、変色する恐れのあるものには使用できない。その恐れのあるものには、安息香酸やパラオキシ安息香酸エステル類やサルチル酸やソルビン酸やプロピオン酸カルシウムなどを使えば宜しいのではないかと思われる。また、果物のカビの防黴剤としてオルトフエニルフェノールやそのＮａ塩やジフエニルやチアンベンダゾールなどが指定されているが、これらなども宜しいのではないかと思われる。
本発明は、述べたように、家具や敷物などや建物の内壁などに留まらず、家屋やビルの外壁のカビ予防に使用できることである。家屋のモルタル外壁がカビで以て黒ずんで薄汚くなってもこれまで手の打ちようが無かった。私は、そのクリーニング業が大きな商売となると吹いたが、今になっても、業者が現れない。
それには、現在、好い洗剤や防黴剤が存在していなかったからであることが判った。そこで、保湿剤を洗剤に加えたものを吹きつけ、暫く経ってそれを洗い流してカビを取り、その後に、本発明の防黴菌料剤を吹き付けておけば、相当期間効き目があるように思われる。
同様なことはビルに就いても言えるので、その作業が定常化して繰り返されるようになれば、世界的な巨大産業が出現することになる。一昔前には、ビルの窓の清拭業はアクロバット的で、肝の要る男の仕事であったが、今日全く見掛けることはなくなった。作業員たちの危険性よりも通行人への恐怖作用が廃れた主要原因ではないかと思われる。
そこで、本発明を施行する場合には、水を多用することではあるし、作業は夜間に限ることにしたいものである。
そして、超高層ビルには無理であろうが、噴霧ノズルを先端に設けた伸縮させうるようにしたジブ（腕）を設けたビル用壁窓洗浄車を開発したい。勿論、高層用、中層用、低層用の各用途のものが必要で、高層ビルでは、それら三用途車をそれぞれ使用して上から下までを洗浄・防黴菌することになろう。
なお、今日の食品は殆ど防腐剤のお世話になっている。その他の食品添加物もそれは多く、それらが自然な食事を摂ろうとしても、基礎食品の中に潜り込んでいて、今日の食品商品化生活環境下では、絶対にままならない。今、知りうる範囲でも、次のような実状である。
安息香酸は、炭酸を含まない清涼飲料水（０．６ｇ／ｋｇ以下）、醤油（０．６ｇ／ｋｇ以下）に。
パラオキシ安息香酸エステル類は、醤油（０．２５ｇ／ｋｇ以下）、炭酸を含有しない清涼飲料水（０．１ｇ／ｋｇ以下）、果実ソース（０．２ｇ／ｋｇ以下）、酢（０．１ｇ／ｌ以下）、果実と果菜類に果皮中残存量（０．０１２ｇ／ｋｇ以内）、医薬品では、点眼剤（０．０５％）、水剤（０．１％）、注射液（０．２％）に。
サルチル酸は、清酒（０．２５ｇ／ｌ以下）に。
ソルビン酸は、魚肉練り製品、鯨肉、食肉製品、雲丹（２ｇ／ｋｇ以下）、烏賊燻製品、蛸燻製品（１．５ｇ／ｋｇ以下）、魚介乾製品、フラワーペースト、煮豆、餡類、佃煮、味噌、各種漬物（１ｇ／ｋｇ以下）、ジャム、ケチャップ、干し李（すもも）、酢漬け漬物（０．５ｇ／ｋｇ以下）、甘酒、発酵乳（０．３ｇ／ｋｇ以下）、乳酸菌飲料（０．０５ｇ／ｋｇ以下）に。
デヒドロ酢酸は、チーズ、バター、マーガリン（０．５ｇ／ｋｇ以下）に。
プロピオン酸カルシウムおよびナトリウムは、パン、洋菓子（プロピオン酸として２．５ｇ／ｋｇ）に。以上、「商品大辞典・９７７頁・東洋経済」。
ここには、ビール、発泡酒、酎ハイ、炭酸入り清涼飲料、各種ペットボトル詰嗜好飲料、各種ペットボトル詰ジュース類、容器詰め豆腐や納豆なども殺菌剤や防腐剤が添加されていると思われるが、手元に資料がない。
これらに添加されている防黴菌料剤は、カビや細菌の増殖・繁殖を抑えるために使用されており、死滅させる程には使用されていないが、今日、斯くも全面的に店頭食品に使用されるようになると、多くの店頭食品を併せて摂らざるを得ない現在、その摂取量は膨大なものとなり、人体内の生態細菌に重大な影響を及ぼすことになり、栄養素の消化吸収や新陳代謝などを阻害することになる。
その他の添加剤も殆どがナトリウム塩であり、Ｎａをアンバランスに過剰摂取することになるなど、身体の生態反応に同じような悪影響を与えている。
殺菌は加熱法に返る努力をし、その他の目的のナトリウム塩類は調味料を除いてカルシウム塩類に代えていく努力をするなどして、食品添加剤の害性を軽減させる努力を惜しんではならない。
その結果、食品添加剤市場は急激な縮小を余儀なくされ、その生存が危ぶまれることになりつつあった。そのため、食品産業は安全性へ向けての開放が阻害されていて、国民の信頼の薄い産業の一となっており、そこからの脱出に途方に暮れていたらしい。
ここに、本発明が出来、食品用防黴菌料剤に想像も出来なかった程の需要が望めることになり、食品における自己の分野を快く他産業に譲れることになるかも知れない。世界的な巨大産業を本発明によって夢見て貰えることになり、大いに安堵できるかも知れないと思っている次第である。
そして、国民には、食塩を美味しく摂れたり、ビールを何本も飲めたり、牛乳をたっぷり子供飲ませたり、魚や肉を多めに摂れたりしても、腸の機能を損うこともなくなり、国民は総便秘症から開放されたり、毒素排出のための水分の多用から開放されるなどから、身体と精神の機能の快調を取り返し、心身に違和感を常に持たざるを得なかった生活環境作用から開放されて行くことになるかも知れない。
勿論、そうなれば、これまでの偽物生活経済を支援して来た水平同和主義と電波もその存在理由を弱め、加えて電子機器の本物化が達成されれば、それらはその存在性を終えることになり、人間が本当に人間らしい生産活動と消費活動を楽しめる社会となって行くに違いない。